(57)【要約】      （修正有）【課題】特定の身体部位に対して効果的に通気を行う衣服を提供する。【解決手段】着用者の身体の一部を覆う少なくとも１つの覆い部１、２を備えた衣服であって、少なくとも１つの覆い部が、着用者の身体の一部に対して通気を行う通気機構が取り付けられた少なくとも１つの正面側吸気開口部６を有し、通気機構が、少なくとも１つの正面側吸気開口部に連通する上流側端部１０と、下流側端部１１とを備える少なくとも１つの空気配給カップリング９を備え、少なくとも１つの空気配給カップリングが、上流側端部から下流側端部へ空気を流通させる少なくとも１つの流通チャネル１２が設けられた鞘部を備え、少なくとも１つの流通チャネルが、鞘部を介して着用者の身体の一部に集中して通気を行う少なくとも１つの通気路１６を備え、空気配給カップリングの下流側端部が、衣服から空気を排気するための排気カップリング２０に連通している衣服に関する。【選択図】図１ｂ
2013079480.tif 000002
【特許請求の範囲】
【請求項１】
着用者の身体の一部を覆う少なくとも１つの覆い部（１、２）を備えた衣服であって、
上記少なくとも１つの覆い部（１、２）が、上記着用者の身体の一部に対して通気を行う通気機構が取り付けられた少なくとも１つの正面側吸気開口部（６、６ａ、６ｂ）を有し、
上記通気機構が、上記少なくとも１つの正面側吸気開口部（６、６ａ、６ｂ）に連通する上流側端部（１０）と、下流側端部（１１）とを備える少なくとも１つの空気配給カップリング（９）を備え、
上記少なくとも１つの空気配給カップリング（９）が、上記上流側端部から上記下流側端部へ空気を流通させる少なくとも１つの流通チャネル（１２、１２ａ、１２ｂ）が設けられた鞘部を備え、上記少なくとも１つの流通チャネル（１２、１２ａ、１２ｂ）が、上記鞘部を介して上記着用者の身体の一部に集中して通気を行う少なくとも１つの通気路（１６、１６ａ、１６ｂ）を備え、
上記空気配給カップリング（９）の上記下流側端部（１１）が、上記衣服から空気を排気するための排気カップリング（２０）に連通していることを特徴とする衣服。
【請求項２】
上記排気カップリング（２０）が、上記覆い部（２）に設けられた背面側排気開口部に連通している下流側端部（２０ａ）を備えていることを特徴とする請求項１に記載の衣服。
【請求項３】
上記排気カップリング（２０）が、気密材料からなる外面（２１）と少なくとも部分的に通気性材料からなる内面（２２）とを備える鞘部を備えることを特徴とする請求項１または２に記載の衣服。
【請求項４】
上記排気カップリング（２０）の上記内面（２２）と上記外面（２１）とを互いに隔てた状態に保持するように設けられた２つの側方ブリッジ部（２４）によって、上記内面（２２）と上記外面（２１）とが互いに接続されることで、上記内面（２２）と上記外面（２１）との間に空気流通チャネル（２５）が形成されていることを特徴とする請求項３に記載の衣服。
【請求項５】
上記空気配給カップリング（９）の上記鞘部が気密材料からなり、
上記通気路（１６、１６ａ、１６ｂ）が、上記鞘部の内面（１３）に形成された切口によって構成されていることを特徴とする請求項１から４の何れか１項に記載の衣服。
【請求項６】
上記切口が通気性材料によって覆われていることを特徴とする請求項５に記載の衣服。
【請求項７】
上記空気配給カップリング（９）の上記鞘部が、２つの側方ブリッジ部（１５）を介して互いに接続された内面（１３）と外面（１４）を備え、上記２つの側方ブリッジ部（１５）が、上記内面（１３）と外面（１４）を互いに隔てた状態に保持するように配列されることで、上記内面（１３）と外面（１４）との間に少なくとも１つの空気流通チャネル（１２）が形成されていることを特徴とする請求項１から６の何れか１項に記載の衣服。
【請求項８】
上記空気配給カップリング（９）が実質的に水平に延伸し、上記排気カップリング（２０）が実質的に垂直に延伸していることを特徴とする請求項１から７の何れか１項に記載の衣服。
【請求項９】
上記通気機構が２つの空気配給カップリング（９）を備え、これら２つの空気配給カップリング（９）の上流側端部（１０）が正面側吸気開口部（６ａ、６ｂ）にそれぞれ連通し、下流側端部（１１）が同一の排気カップリング（２０）に連通していることを特徴とする請求項１から８の何れか１項に記載の衣服。
【請求項１０】
上記空気配給カップリング（９）が複数の流通チャネル（１２ａ、１２ｂ）を備え、上記複数の流通チャネル（１２ａ、１２ｂ）のそれぞれが、上記上流側端部（１０）と上記下流側端部（１１）との間に空気を平行して流通させるように、上記上流側端部（１０）と上記下流側端部（１１）の間を延伸し、
上記複数の流通チャネル（１２ａ、１２ｂ）のそれぞれが、上記着用者の身体の一部に集中して通気を行う少なくとも１つの通気路（１６ａ、１６ｂ）を備えていることを特徴とする請求項１から９の何れか１項に記載の衣服。
【請求項１１】
上記空気配給カップリング（９）が気密材料（２６）からなるブリッジ部を備え、該ブリッジ部が上記空気配給カップリング（９）の内面（１３）と外面（１４）とを接続し、
上記ブリッジ部の一方側と他方側とに流通チャネル（１２ａ、１２ｂ）がそれぞれ設けられていることを特徴とする請求項１０に記載の衣服。
【請求項１２】
上記正面側排気開口部（６、６ａ、６ｂ）に密閉手段７が設けられ、該密閉手段７は上記通気機構に取り入れられる空気流を調節が調整可能であることを特徴とする請求項１から１１の何れか１項に記載の衣服。
【請求項１３】
上記空気配給カップリング（９）の上記上流側端部（１０）に吸気室（１７）が設けられていることを特徴とする請求項１から１２の何れか１項に記載の衣服。
【請求項１４】
上記吸気室（１７）が、該吸気室（１７）内へ空気を通過させる材料からなる上流層（１８）によって規定されていることを特徴とする請求項１３に記載の衣服。
【請求項１５】
上記吸気室（１７）の内法寸法が上記空気配給カップリング（９）の内法寸法よりも大きいことを特徴とする請求項１３または１４に記載の衣服。
【請求項１６】
上記流通チャネル（９）の内法寸法が、上記上流側端部（１０）から上記下流側端部（１１）に向かって小さくなることを特徴とする請求項１から１５の何れか１項に記載の衣服。
【請求項１７】
上記通気機構が上記覆い部（１、２）の内面（８）に着脱可能に搭載されていることを特徴とする請求項１から１６の何れか１項に記載の衣服。
【発明の詳細な説明】
【技術分野】
【０００１】
本発明は、着用者の身体の一部を覆うための少なくとも１つの覆い部を備えた衣服に関する。
【０００２】
本発明は特に衣服に関し、具体的には、スポーツ活動またはレジャー活動（例えば、スキー、スノーボード、クロスカントリー式スキー、ローラースケート、ランニング、サイクリング、乗馬、バイクの運転、または、ゴーカートの運転など）を行う場合に着用する上着に関する。
【背景技術】
【０００３】
気候条件が好ましくない場合（例えば、低温の天候または暴風雨時）に着用者を保護するために、この種の衣服の大半は耐候性を有しており、または、少なくとも防風性の衣服として機能するものが多い。
【０００４】
この目的を達成するために、このような衣服は、空気と空気中の水分との透過率が低い耐候性の材料からなる覆い部を備えることがあるため、上記覆い部に覆われている着用者の身体部位において熱による不快な状態が発生してしまう。
【０００５】
さらに、このような衣服の着用者が運動を伴った活動をした場合、衣服が相対風に吹きつけられて着用者の身体に少なくとも部分的に纏わり付くことがあり、熱による不快感が増大してしまう。特に、高速運動を伴った活動（例えば、スキー、バイクの運転など）をした場合、このような現象は着用者にとって極めて不快なものとなる。
【０００６】
これらの課題を解決するために、外気取入用の開口部が設けられた衣服が公知である。特に、開口部と向かい合った身体部位に対して通気（ventilation）を行うために、開口部は外気を衣服内に取り入れるように配置されている。これにより、身体部位の温度を下げ、汗を蒸発させている。
【０００７】
例えば、文献ＵＳ５７２７２５６は、腰背部と側部とのそれぞれに配置された外気の吸気口と、１つの肩部にそれぞれ配置された、温められた空気の排気口とを備える上着であって、外気の吸気口のそれぞれが、ジッパーによって被われたメッシュ生地の断片を含んでいる上着が記載されている。
【０００８】
したがって、通気により着用者の身体を乾かすために外気が衣服内へと取り入れられるので、衣服内の温かく湿った空気には、流動効果によって着用者の身体に沿って上昇し、排気口から排気される流れが生じる。
【先行技術文献】
【特許文献】
【０００９】
【特許文献１】米国特許第５７２７２５６号明細書
【発明の概要】
【発明が解決しようとする課題】
【００１０】
しかし、上記文献の衣服では、衣服内の最適な空気の流れを発生させることができないため、十分満足のいくものではなかった。さらに、上記文献の衣服では、湿度に一番敏感な身体部位に集中して通気を行うができず、低温度に一番敏感な身体部位を外気から遠ざけることもできなかった。
【００１１】
本発明は、着用者の特定の身体部位に対して効果的に通気を行うという特定の目的のために、衣服内での最適な空気の流れを可能にする少なくとも１つの通気機構を衣服に設けることを提案して、従来技術を改良することを目指すものである。
【課題を解決するための手段】
【００１２】
この目的を達成するために、本発明は、着用者の身体の一部を覆う少なくとも１つの覆い部を備えた衣服であって、上記少なくとも１つの覆い部が、上記着用者の身体の一部に対して通気を行う通気機構が取り付けられた少なくとも１つの正面側吸気開口部を有し、上記通気機構が、上記少なくとも１つの正面側吸気開口部に連通する上流側端部と、下流側端部とを備える少なくとも１つの空気配給カップリングを備え、上記少なくとも１つの空気配給カップリングが、上記上流側端部から上記下流側端部へ空気を流通させる少なくとも１つの流通チャネルが設けられた鞘部を備え、上記少なくとも１つの流通チャネルが、上記鞘部を介して上記着用者の身体の一部に集中して通気を行う少なくとも１つの通気路を備え、上記空気配給カップリングの上記下流側端部が、上記衣服から空気を排気するための排気カップリングに連通している衣服を提案する。
【００１３】
本発明の他の特別な特徴および利点は、添付の図面を参照した以下の説明から明らかであろう。
【図面の簡単な説明】
【００１４】
【図１ａ】図１ａは本発明の一実施形態に係る衣服を図式的に示し、前を閉じた状態の衣服（図１ａ）を示す。
【図１ｂ】図１ｂは本発明の一実施形態に係る衣服を図式的に示し、前を開いた状態の衣服（図１ｂ）を示す。
【図２】図２は図１に示す衣服の正面側の開口部の横断面を図式的に示す。
【図３】図３の（ａ）は本発明に係る通気機構のチャネルの形成を図式的に示し、図３の（ｂ）は線Ａ−Ａに沿った図３の（ａ）の断面図を示し、図３の（ｃ）は線Ｂ−Ｂに沿った図３の（ａ）の断面図を示す。
【発明を実施するための形態】
【００１５】
上記図面を参照して、着用者の身体の一部を覆う少なくとも１つの覆い部を備えた衣服を以下に説明する。図示する実施形態によれば、衣服は胴部を覆うための覆い部を備える上着であって、この覆い部は胸部１と背部２を有する。さらに、上着は、着用者の腕を覆うための覆い部をそれぞれ構成する２つの袖部３と、着用者の首を覆うための覆い部を構成する襟部４とを備える。
【００１６】
特に、スポーツ活動やレジャー活動（例えば、スキー、スノーボード、クロスカントリー式スキー、ローラースケート、ランニング、サイクリング、乗馬、オートバイの運転、または、ゴーカートの運転）に従事する場合に衣服を着用してもよい。
【００１７】
この目的を達成するために、天候条件が好ましくない場合（例えば、低温の天候または暴風雨時）に着用者を保護できるように、衣服は耐候性を有する衣服であってもよく、または、少なくとも風よけ用ジャンパーとして機能する衣服であってもよい。このような衣服とするために、衣服は、本質的に不透水性の材料からなる外層部５を備える。
【００１８】
衣服の覆い部は、この覆い部に覆われる身体部位に対して外気を供給する通気機構が取り付けられた少なくとも１つの正面側吸気開口部６を有する。
【００１９】
正面側吸気開口部６に密閉手段７を設けてもよく、この密閉手段７は通気機構内に取り入れられた外気流Ｆを調節するために調整されてもよい。特に、密閉手段７を使用して正面側吸気開口部６のサイズを調整できる。したがって、着用者は、通気を行いたい場合、外気を取り入れるために正面側吸気開口部６を開く。同様に、着用者は、低温の外気の侵入を遮断したい場合および／または通気を中止したい場合、正面側吸気開口部６を閉じるために密閉手段７を作動させる。
【００２０】
図中では、正面側吸気開口部６は、胸部１の外層部５に設けられた縦型のスリットの形態を取り、このスリットの高さは約１５ｃｍとすることができる。さらに、密閉手段７はファスナー部を備え、例えば、このファスナー部の各側方端部７ａがスリットの１つの側方エッジ部に縫い付けられている。特に、図２では、スリットを規定し、密閉手段７が結び付けられるように、外層部５の側方エッジ部５ａが衣服の内側で折り畳まれている。
【００２１】
さらに、この衣服は外層部５の内側面に配置された裏地８を備え、この裏地８が外層部５のスリットと向かい合って形成されたスリットを有し、裏地８の２つの側方エッジ部８ａが１つの側方エッジ部５ａにそれぞれ縫い付けられている。
【００２２】
胸部１上の正面側吸気開口部６の位置は、特に衣服の着用者がバックパックを背負っている場合、着用者の手が簡単に届き、バックパックによって塞がれにくい場所にあるので、スポーツ活動を行う場合に特に適切であるといえる。さらに、着用者が高速運動（例えば、サイクリング、乗馬、オートバイの運転、または、スキー）を行っている場合、正面側吸気開口部６が最適な量の外気を上着内に取り入れることができる。
【００２３】
通気機構は、正面側吸気開口部６に連通している上流側端部１０と、下流側端部１１とを有する少なくとも１つの空気配給カップリング９を備える。図示している実施形態では、空気配給カップリング９は裏地８に設けられ、衣服の曲線をなぞりながら胸部１と背部２とに渡って実質的に水平に延伸し、斜めに屈折している箇所がないので、空気配給カップリング９内の空気流が妨げられることがない。
【００２４】
空気配給カップリング９が、上流側端部１０から下流側端部１１へと空気を流通させる少なくとも１つの流通チャネル１２が形成されている鞘部を有している。これを実現するために、鞘部は、着用者に対向するように意図された内面１３と、裏地８上に配置された外面１４とを有し、内面１３と外面１４とは気密材料から構成される。
【００２５】
図２に関連して、外面１４は端部１４ａを備え、この端部１４ａは、例えば、縫い付けや、スナップボタンまたは接着ストリップ（Velcro（登録商標）など）などの可逆的な方式によって内側裏地８に固定されている。
【００２６】
さらに、内面１３と外面１４は２つの側方ブリッジ部１５を介して互いに接続され、側方ブリッジ部１５は、空気を流通させる少なくとも１つのチャネル１２を内面１３と外面１４との間に形成することによって内面１３と外面１４とを互いから隔てた状態に保持するように設けられている。図３の（ａ）に関しては、側方ブリッジ部１５は、例えば、気密性発泡材料からなるスペーサである。特に、これらスペーサ１５は、各辺の長さが５ｍｍの四角形状の断面を有するものであってもよい。
【００２７】
流通チャネル１２は、着用者の身体の一部に集中して通気を行うための少なくとも１つの通気路１６を、鞘部を介して備えている。特に、通気路１６は内面１３に形成された切口によって構成され、この切口は透気性の材料（例えば、メッシュ状の布地）によって覆われている。
【００２８】
したがって、空気配給カップリング９の内面１３および外面１４と側方ブリッジ部１５とが気密性を有するため、空気配給カップリング９に流入する外気流Ｆ１は、通気路１６と向かい合った着用者の身体部位に外気を供給するように、通気路１６に到達するまで流通チャネル１２内を導かれる。
【００２９】
さらに、正面側吸気開口部６を介して空気配給カップリング９内へ流入する外気の誘導が向上するように、上流側端部１０に吸気室１７を設けてもよい。図２に関して、吸気室１７は、空気配給カップリング９内へ外気を透過する材料（例えばメッシュ状の布地）からなる上流側層１８によって規定される。
【００３０】
さらに、吸気室１７は、気密材料からなる下流側層１９によって規定され、この下流側層１９は、例えば、縫い付けや、スナップボタンまたは接着ストリップ（Velcro（登録商標）など）などの可逆的な方式によって裏地８に固定された第１の端部１９ａと、空気配給カップリング９の内面１３に固定された第２の端部１９ｂとを備えている。
【００３１】
さらに、吸気室１７の内法寸法は、空気配給カップリング９の内法寸法よりも大きくてもよい。これにより、吸気室１７が、外気の最適な取り入れを生じさせることが可能になる。これは、チャネル１２内を流通環している外気流Ｆ１の上流側の供給を行うように外気を蓄えることが可能であることを意味する。
【００３２】
流通チャネル１２の内法寸法は、上流側端部１０から下流側端部１１に向かってサイズが減少してもよい。これを実現するために、図３の（ａ）に関しては、空気配給カップリング９が上流側端部から下流側端部に向けて収束するように、空気配給カップリング９の２つの側面端部９ａが水平方向に対して例えば約５％の勾配で傾いている。したがって、流通チャネル１２によって、通気の拡散を減少し、着用者の身体の一部に対してより対象の絞れた通気を行うことができる。
【００３３】
温められた空気の排気を可能にするために、空気配給カップリング９の下流側端部１１が、衣服から空気を排気するための排気カップリング２０と連通している。図示する実施形態では、温められた空気を排気カップリング２０から排気する自然対流を利用できるように、排気カップリング２０が背部２に取り付けられ、裏地８上に配置された状態で実質的に垂直に延伸している。
【００３４】
排気カップリング２０が、背部２に形成された背面側の排気開口部（図示せず）と連通する下流側端部２０ａを備えている。特に、背面側の排気開口部は、背部２の首の領域のうち首筋の領域に形成されてもよく、特に背部２と襟部４との接合部に近接して形成されてもよい。
【００３５】
排気カップリング２０は、気密材料からなる外面２１と透気性の材料から少なくとも部分的になる内面２２とを有する鞘部を備えている。図１ｂと図３では、通気路２３が、内面２２に形成された切口によって形成され、この切口が通気性の材料（例えば、メッシュ状の布地）によって覆われている。
【００３６】
さらに、排気カップリング２０の内面２２と外面２１とが２つの側方ブリッジ部２４を介して互いに接続され、この２つの側方ブリッジ部２４は内面２２と外面２１の間に空気流通チャネル２５を形成することで内面２２と外面２１を互いから隔てた状態に保持するように設けられている。側方ブリッジ部２４は、例えば気密性発泡材料からなるスペーサでもよく、各辺の長さが５ｍｍの四角形状の断面を有するものでもよい。
【００３７】
これにより、空気流Ｆ２が、通気路２３と向かい合った身体部位における換気を集中的に行う排気カップリング２０の内を流通できるようになる。さらに、通気路２３によって、排気カップリング２０が衣服内の温められた空気を排気することが可能になる。
【００３８】
図示する実施形態では、空気配給カップリング９から発生する外気流Ｆ１を空気流通チャネル２５に供給するように、空気配給カップリング９の下流側端部が排気カップリング２０の上流側端部と結び付けられている。さらに、外面２１および内面２２と側方ブリッジ部２４とが気密性を有しているため、排気カップリング２０内を流通する空気流Ｆ２が、背面側の排気開口部に到達するまで空気流通チャネル２５内を導かれる。
【００３９】
着用者の身体の一部に対してより良い通気を行えるようにするために、通気機構が、２つの正面側吸気開口部６と２つの空気配給カップリング９とを備え、この２つの空気配給カップリング９のそれぞれの側端部１０が正面側の正面側吸気開口部６のうち１つと連通し、下流側端部１１が１つの排気カップリング２０と連通していてもよい。
【００４０】
これにより、図１では、胸部１が、２つの正面側吸気開口部６ａおよび６ｂと２つの空気配給カップリング９とを備え、この空気配給カップリング９のそれぞれの上流側端部１０が正面側吸気開口部６ａおよび６ｂのうち１つと連通している。なお、図中左側の正面側吸気開口部６ａについては閉じた状態が示され、図中右側の正面側吸気開口部６ｂについては開口状態が示されている。
【００４１】
さらに、各空気配給カップリング９が、両脇下の領域にそれぞれ設けられた通気路１６を備え、脇下の領域は、胸部１と背部２の間と袖部３の下方とに配置されている。さらに、排気カップリング２０が、背部２の脊柱部の領域に配置された通気路２３を備え、空気配給カップリング９のそれぞれの下流側端部１１が排気カップリング２０に通じている。
【００４２】
一実施形態によれば、空気配給カップリング９が複数の流通チャネル１２ａおよび１２ｂを備え、複数のチャネル１２ａおよび１２ｂのそれぞれが、上流側端部１０と下流側端部１１の間に空気の流通を平行に生じさせるように、上流側端部１０と下流側端部１１の間を延伸し、複数のチャネル１２ａおよび１２ｂのそれぞれが少なくとも１つの通気路１６ａおよび１６ｂを備え、少なくとも１つの通気路１６ａおよび１６ｂが、この通路と向かい合った一部の身体部位に対して集中して通気を行う。
【００４３】
特に、図３の（ａ）では、空気配給カップリング９が、上層チャネル１２ａと、下層チャネル１２ｂと、気密材料２６からなり、空気配給カップリング９の内面１３と外面１４とを接続しているブリッジとを備え、上層チャネル１２ａと下層チャネル１２ｂとがブリッジの両側にそれぞれ設けられている。気密材料２６からなるブリッジは、例えば、気泡を含み、各辺の大きさが５ｍｍの四角形状の断面を有していてもよい。
【００４４】
上層チャネル１２ａが、上述の脇下の領域（例えば、袖部３の３ｃｍ下方）に配置された通気路１６ａを備える。同様に、下層チャネル１２ｂが、背部２の脊柱部の領域に近接（例えば、背部２の脊柱部の領域から６ｃｍ〜８ｃｍ離れた位置）して配置された通気路１６ｂを備える。さらに、通気路１６ａおよび１６ｂのそれぞれが、例えば、各辺の大きさが５ｍｍの四角形状を有する形態である。
【００４５】
さらに、排気カップリング２０が流通チャネル１２の通気路１６ａ、１６ｂより高い（領域に）通気路２３を備え、温められた空気用の通気路が背部２の脊柱部の領域と、特に上層チャネル１２ａの通気路１６ａより高い領域とに配置されている。
【００４６】
衣服は、着用者がスポーツをしている場合でも何ら制約を加えることのない柔軟で、軽く、目立たない通気機構を備える。さらに、通気機構は、衣服上に簡易に構成および配置されるものであってよい。さらに、通気機構は衣服と共に洗濯可能であり、全身体の外観を損ねこともない。
【００４７】
特に、着用者が望むように通気機構を利用したり、利用を避けられるように、通気機構を裏地８に着脱可能に設けてもよい。
【図１ａ】
2013079480.tif 000003
【図１ｂ】
2013079480.tif 000004
【図２】
2013079480.tif 000005
【図３】
2013079480.tif 000006